(57)【要約】  本発明は、２個の側方部材（２１）と座板（２０）とを備えた椅子（２）用の留め具用ブラケット（１）であって、互いに上下に平行に置かれかつ前側ピース（１２）と後側ピース（１３）とによりそれぞれ前端部と後端部とにおいて連結されている上方ビーム（１０）と下方ビーム（１１）とを有することを特徴とし、前記両ピースは両ビーム（１０、１１）の間を形成する第１のスペースの外側であり、前記第１のスペースは座板（２０）の側方の縁を受け入れ、そして前側ピース（１２）と後側ピース（１３）との間を形成する第２のスペースが椅子（２）の側方部材（２１）を受け入れ、更にブラケットが少なくも１個の留め具（１４）を備える前記留め具用ブラケット（１）に関する。本発明は、椅子用の組立キット及び留め具用ブラケットと組立キットの使用にも関する。
2008534118.tif 000002
【特許請求の範囲】
【請求項１】
２個の側方部材（２１）及び座板（２０）を備えた椅子（２）用の留め具用ブラケット（１）であって、
互いに上下に平行に置かれかつ前側ピース（１２）及び後側ピース（１３）によりそれぞれ前端部及び後端部において結合されている上方ビーム（１０）及び下方ビーム（１１）を有し、前記ピースはビーム（１０、１１）の間を形成する第１のスペースの外側である
ことを特徴とし、
前記第１のスペースは座板（２０）の側方の縁を受け入れ、更に前側ピース（１２）と後側ピース（１３）との間を形成する第２のスペースが椅子（２）の側方部材（２１）を受け入れ、そしてブラケットが少なくも１個の留め具（１４）を備える
前記留め具用ブラケット。
【請求項２】
留め具（１４）が、目玉状留め具、スナップフック、ループ又はその他の留め具であり、好ましくは、目玉状留め具である
ことを特徴とする請求項１による留め具用ブラケット。
【請求項３】
留め具が、後側ピース又は前側ピース（１２、１３）の上側、下側、又は側部に、或いはビーム（１０、１１）の外側に、好ましくは後側ピース（１３）の上側に置かれる
ことを特徴とする請求項１又は２による留め具用ブラケット。
【請求項４】
前側ピース及び後側ピース（１２、１３）の一方又は双方が、ネジ、ボルト又はクリップのような、ビーム（１０、１１）を一緒に結合する固定用具より完全に又は部分的に作り上げられる
ことを特徴とする請求項１から３のいずれかによる留め具用ブラケット。
【請求項５】
ブラケットが１個の連続した部材よりなる
ことを特徴とする請求項１から４のいずれかによる留め具用ブラケット。
【請求項６】
前側ピース（１２）及び／又は後側ピース（１３）が、椅子（２）の座板（２０）の縁の形状に従う
ことを特徴とする請求項１から５のいずれかによる留め具用ブラケット。
【請求項７】
側方部材（２１）が縦斜めであるとき、前側ピース（１２）及び／又は後側ピース（１３）が、前記側方部材（２１）と同じ角度で縦斜めである
ことを特徴とする請求項１から６のいずれかによる留め具用ブラケット。
【請求項８】
側方部材（２１）に当たっている前側ピース（１２）、後側ピース（１３）及び水平方向部材（１０、１１）が、側方部材（２１）の縁の形状に従う
ことを特徴とする請求項１から７のいずれかによる留め具用ブラケット。
【請求項９】
請求項１から８のいずれかによる２個の対称的な留め具用ブラケットを備える
ことを特徴とする椅子用の組立キット。
【請求項１０】
トリップトラップ椅子のような子供用椅子における安全ハーネスの設置のための、請求項１から８のいずれかによる留め具用ブラケット又は請求項９による組立キットの使用。
【発明の詳細な説明】
【技術分野】
【０００１】
本発明は、２個の側方部材と座板とを有する椅子、例えば、座板の調整の可能性を有する子供用椅子のような椅子のための留め具用ブラケットに関する。更に、本発明は、椅子用の組立キット並びに留め具用ブラケット及び組立キットの使用に関する。
【０００２】
小児、即ち一人で座ることができる子供（約６、７カ月）から落ちることなく子供用椅子に安全に座れる子供（約２歳）までの年齢の子供は、子供用椅子から落ちることなく子供を保持するハーネスを必要とすることが共通の知識である。
【０００３】
乳母車、子供用椅子に伴う形式又は別々に購入し得る形式の通常のハーネスがよく使用される。子供用椅子においては、ハーネスは目玉状留め具又は同等品のような取付け済みの留め具で座席の両側のストラップにより留められることが多い。
【０００４】
最近の数年間において、子供用椅子及びハーネスのような子供のために使用される設備に対する独自の安全必要条件を有する多くの国及び領域に向けた開発がなされた。これは新しい子供用椅子の開発の際には考慮されたが、かかる安全性の要求が強制されるより以前に長期間にわたって作られてきた椅子に適合させることは困難である可能性がある。数年にわたり既に販売されてきた何千台もの子供用椅子や個人の家庭にある椅子に対してかかる適合を行うことは特に困難である。
【０００５】
これは、早くも１９７２年に開発されそして１９７６年に特許を取得した子供用椅子トリップトラップ（Ｒ）（Ｔｒｉｐｐ  Ｔｒａｐｐ（Ｒ））の事例であり、これは今なお多くの国で非常に評判のよい子供用椅子である。この椅子は、子供の体格に合わせて調整できるように設計され、座板と足置きとを持ち、これらを側方部材の溝の中に滑り込ませることにより種々の高さ位置に動かすことができ、かつ側方部材間の距離を確り決めることにより固定される。座板は、更に背もたれに関して滑らせて奥行き位置を調整することができ、これにより、椅子を使用する子供に確りした状態において正確な座席の長さを提供する。
【発明の開示】
【発明が解決しようとする課題】
【０００６】
このように、現存の座席は、新しい必要条件、特に子供用ハーネスのアンカーが座席の高さ位置からある距離で、例えば上述の部分間で約７５ｍｍで追随すること、及び／又は、例えば背もたれに関して奥行きを一定に保つことに適合させることが困難であることが確認されている。
【０００７】
更に、古い椅子の持ち主も自分の椅子を格上げできるように、特別の設備として留め具を提供することが目的である。部品のどれかに穴を空け又はネジを差し込むような物理的作業を避けることも目的である。これは、子供用ハーネスが不要になったときに見えるであろう椅子の価値を損なう痕を残す。
【課題を解決するための手段】
【０００８】
これらの目的を達成するために、出願人は上述された問題のすべてを解決する留め具用ブラケットを開発した。
【０００９】
ブラケットは、椅子の座板の側方の縁を受け入れるための水平方向の溝、及び椅子の縦斜めの側方部材を受け入れるためのほぼ垂直方向の立った溝を有する閉鎖フープ状の形を
備える。そこで、椅子の縦方向及び水平方向の構成要素が互いに固定されたとき、これらがブラケットを間接的に固定するような状態でブラケットが交差方向で固定される。
【００１０】
そこで、本発明は、２個の側方部材と座板とを備えた椅子のための留め具用ブラケットであって、互いに上下に平行に位置決めされかつそれぞれ前方の縁及び後方の縁において前側ピース及び後側ピースにより連結された上方ビーム及び下方ビームを備えることを特徴とし、前記ピースは両ビーム間を形成する第１のスペースの外側であり、前記第１のスペースは座板の側方の縁を受け入れ、そして前側ピースと後側ピースとの間を形成する第２のスペースが側方部材を受け入れ、更にブラケットが少なくも１個の留め具を備える前記留め具用ブラケットに関する。
【００１１】
本発明は、実施例の手段及び付属図面により更に詳細に説明されるであろう。但し、これら実施例及び図面は、いずれも、特許請求の範囲のみにより定められる本発明の範囲を限定することを意味するものではない。
【発明を実施するための最良の形態】
【００１２】
図１から見られるように、ブラケット１は、互いに上下に平行に置かれその間に第１のスペースを形成している上方ビーム１０と下方ビーム１１とを備える。両ビームは、前側ピース１２及び後側ピース１３によりそれぞれ前端部及び後端部において一緒に結合され、これらピースの間に、ビーム１０と１１とにより定められた第１のスペースの外側に置かれる第２のスペースを形成する。この実施例においては、前側ピース１２及び後側ピース１３は、外側及び内側の両方において追加してアーチ状にされる。或いは、前側ピース及び／又は後側ピースの一方又は双方は、ビーム１０と１１とが永久的に組み立てられるのではなくて２個又はそれ以上の部品で供給できるように、ネジ、ボルト又はクリップ（図示せず）のようなビーム１１と１２とを組み立てる固定用具により完全に又は部分的に形成することができる。
【００１３】
部品は、金属、木材、プラスチック又はその他の合成材料又は複合材料のような適宜適切な材料から作ることができる。
【００１４】
後側ピース１３の上側に留め具１４が置かれる。これは、この事例においては、スナップフック、ストラップ又は同等品の使用によるような子供用ハーネルのアンカーとして作用する目玉状の部分である。しかし、留め具は、椅子の構成要素と当たらない限り、ブラケット１の後端部又は前端部の上側、下側或いは間のすべての位置のようないかなる場所に置くこともできる。
【００１５】
上述のブラケット実施例では、開口している溝の形の第１のスペースがビーム１０と１１との間に形成され、この場合、前記ビーム間の縦方向距離は椅子の座板２０の厚さに調整され、この座板にブラケット１が固定される。図２より見られるように、椅子の座板２０は、例えば椅子の後側で緩めて押し出すことができ、そこで、例えば、本発明によるブラケット１は、これを２個、座板２０の左右の両前コーナー上に通すことにより設置することができる。椅子の側方部材２１は斜めであるため、２個のブラケットは、この場合は、対称的な右勝手及び左勝手のブラケットでなければならない。座板２０を希望の位置に前方に押すことにより、ブラケットは椅子の各側の側方部材２１上の定位置に滑り込むであろう。或いは、ブラケットを一時的に定位置に保持し又は椅子の側方部材２１に固定し、その後、座板を定位置に押すこともできる。
【００１６】
この実施例においては、前側ピース１２及び後側ピース１３は、トリップトラップ（Ｒ）椅子の縦斜めの側方部材２１に適合させるために立ち上げられる。
【００１７】
更に、前側ピース１２と後側ピース１３との間及び水平ビーム１０と１１との間の側方部材２１と当たっている縦方向の移行部は側方部材２１の周りと正確に適合するように丸くされ、このため、子供がその指を挟む可能性のある緩み又は隙間はないであろう。ブラケット１が椅子にできるだけきつく固定されるように、図１及び２から見られるように、留め具１４の縦方向の前部分も後側ピース１３から側方部材２１に向かうこの溝の形状に従う。
【００１８】
図３に、この事例における留め具１４が上方ビーム１０からある距離だけ上方にだけ突き出るように示され、これは、例えば、ある種の規制による要求である。図４から、ブラケットが座板２０の置かれた高さに拘わりなく使用できること、及び座板２０に関する留め具１４の高さ位置が常に同じであろうことが分かる。留め具１４は、上述のようにブラケットの他の部分に置くことができ、かつ椅子の構成要素に対して別の表面を接触させるようにすることができる。ブラケット１は、数個の留め具を備えることができる。
【００１９】
図５及び６において、どのようにしてブラケットが縦の斜めの側方部材２１により固定されるか、及びブラケットが背もたれ２２に関する座板２０の深さの調整を許すことが容易に理解することができる。
【００２０】
本発明によるブラケットの長所は、椅子のどの部品にも物理的変化を何も加えることなく、或いはネジのような固定用具に使用により、例えばトリップトラップ（Ｒ）椅子又はその他の椅子のような現存の椅子においてこのブラケットを使用できることである。ブラケットは現存の構成要素の手段によるだけで交差方向に固定される。ブラケットは、椅子のいかなる機能も妨げることなく、座板又は足置きの高さの調節或いは座板又は足置きの深さの調節のような垂直方向及び水平方向の両方の椅子の調節に追随する。ブラケットは、使用後に容易に取り外すことができ、或いはこれが不必要になったときに別の対応する椅子に動かすことができる。また足置きとともに使用することもできる。
【００２１】
本発明によるブラケットは、椅子に対して２個のブラケットの対で、特に椅子の形状、特に椅子の側方部材に適合した対称的な対で供給されることが好ましい。本発明は、請求されたような留め具用ブラケットの使用、或いはトリップトラップ（Ｒ）椅子のような子供用椅子への安全ハーネスの取付けのために請求されたような組立キットにも関連する。
【００２２】
ブラケットは、子供用ハーネスの固定に加えて、或いはこれに代わってその他の目的のために使用することができる。例えば、これは、バッグ又はナップザックを固定するため、或いは子供が食事に疲れたときに遊ぶことができるストラップ付きの玩具を固定するとき、又は椅子がより大きい子供により使用されるときに使用することができる。
【図面の簡単な説明】
【００２３】
【図１】留め具用ブラケットの斜視図を示す。
【図２】側方斜視図がはめ込まれた上方から見た取り付け図を示す。
【図３】ブラケットの背面図を示す。
【図４】椅子に取り付けられた図３のブラケットを示す。
【図５】外側から見たブラケットの平面図を示す。
【図６】椅子に取り付けられた図５のブラケットを示す。
【図１】
2008534118.tif 000003
【図２】
2008534118.tif 000004
【図３】
2008534118.tif 000005
【図４】
2008534118.tif 000006
【図５】
2008534118.tif 000007
【図６】
2008534118.tif 000008
【国際調査報告】
2008534118.tif 000009
2008534118.tif 000010